(57)【要約】      （修正有）【課題】ピンバックルを備えた衣服用ベルトの連結留め具に工夫を加えて、回動部材を挟持姿勢から解放姿勢へ容易に回動させることが可能な連結留め具を提供する。【解決手段】ピンバックル７に装着される短尺帯状体９の端部を固定して保持する固定爪２と、長尺帯状体８の一端を挟持または解放するために回動可能に取り付けられる回動部材３と、その回動部材に固着され、かつ長尺帯状体を回動部材が挟持した姿勢で固定爪に磁着する永久磁石４と、回動部材の回動軸の反対側に位置する端部に配設される突起状把手５と、を有する連結留め具１である。【選択図】図１
2019198563.tif 000002
【特許請求の範囲】
【請求項１】
使用者の腰部に衣服を保持するために使用する衣服用ベルトのピンバックルと長尺帯状体とを連結する連結留め具であって、
前記ピンバックルに装着される短尺帯状体の端部を固定して保持する固定爪と、
前記長尺帯状体の一端を挟持または解放するために回動可能に取り付けられる回動部材と、
該回動部材に固着され、かつ前記長尺帯状体を前記回動部材が挟持した姿勢で前記固定爪に磁着する永久磁石と、
前記回動部材の回動軸の反対側に位置する端部に配設される突起状把手と、
を有することを特徴とする連結留め具。
【請求項２】
前記長尺帯状体が、天然皮革および／または人造皮革からなることを特徴とする請求項１に記載の連結留め具。
【発明の詳細な説明】
【技術分野】
【０００１】
本発明は、衣服（たとえばズボン等）に装着して使用者の腰部に衣服を保持するために使用する衣服用ベルトの連結留め具に関するものであり、詳しくは、衣服用ベルトを構成するピンバックルと長尺帯状体とを連結する連結留め具に関するものである。
【背景技術】
【０００２】
一般に、衣服用ベルトは、使用者の腰部に巻き付けるのに十分な長さを有する柔軟な帯状体（以下、長尺帯状体という）と、使用者の腰部に長尺帯状体を締め付けて保持するバックルとを備えている。長尺帯状体の素材は、天然皮革や人造皮革が使用され、
(a)使用者が着用した状態で外側に露出する面および使用者が着用した状態で身体に当接する面の両方に天然皮革を使用する長尺帯状体、
(b)外面および内面の両方に人造皮革を使用する長尺帯状体、
(c)天然皮革と人造皮革を併用する長尺帯状体（たとえば外面に天然皮革、内面に人造皮革）
等が実用化されている。また、バックルは、
(d)衣料用ベルトに開けたピン孔に針状のピンを通して使用するバックル、
(e)衣料用ベルトにピン孔を開けずに使用するバックル
が広く普及している。
【０００３】
上記(d)のバックル（以下、ピンバックルという）を備えた衣服用ベルトは、長尺帯状体の端部に複数個のピン孔が配列されており、使用者が着用した状態で体形（たとえば腰回りの寸法）に合わせてピンをピン孔に挿入して使用される。したがって、ピンバックルを備えた衣服用ベルトを使用者が購入した時は、まず、使用者の体形に合わせて長尺帯状体の長さを調節する（すなわち、ピン孔の反対側の端部を切り落とす）必要がある。
【０００４】
衣服用ベルトを使用するのに先立って長尺帯状体の長さを調節する際には、使用者が連結留め具を解放して長尺帯状体とピンバックルとを分離（図２参照）させた後、長尺帯状体の端部を切り落とす。図２は、従来の衣服用ベルトの長尺帯状体の端部を切り落とす前に、連結止め具１を解放して、長尺帯状体８を抜き出した例を模式的に示す斜視図であり、ここで図２を参照して従来の連結留め具１について説明する。
【０００５】
ピンバックル７には短かい帯状体９（以下、短尺帯状体という）が装着されており、その短尺帯状体９の端部が連結留め具１の固定爪２で固定されることによって、連結留め具１と短尺帯状体９とが固定されて分離することなく保持される。一方、長尺帯状体８は、短尺帯状体９の切断端面（すなわち、ピンバックル７の反対側の端面）に対向する方向から連結留め具１内に挿入される。そして回動部材３を操作して、鋸状の歯を長尺帯状体８の端部に食い込ませる。このようにして回動部材３が長尺帯状体８を挟持する姿勢（以下、挟持姿勢という）を保つ時は、回動部材３は係止爪６で締め付けられて挟持姿勢（図示省略）を保つ。
【０００６】
衣服用ベルトを使用者が購入する時は、回動部材３は挟持姿勢であるから、長尺帯状体８の長さを調節するためには、回動部材３を回動させて長尺帯状体８を解放する姿勢（以下、解放姿勢という）に変える必要がある。ところが、係止爪６が回動部材３を締め付ける力は、長尺帯状体８の脱落を防止できるように大きく設定されている。したがって、使用者が回動部材３を解放姿勢（図２参照）にするために指で操作するのは困難であり、工具（たとえばドライバーの先端、ハサミの先端等）を使う必要がある。
【０００７】
従来から、上記(d)(e)のバックルの操作を簡便に行なう技術（たとえば特許文献１）が検討されているが、回動部材３の姿勢の変更（挟持姿勢→解放姿勢）を容易に行なう技術は未だ確立されていない。
【先行技術文献】
【特許文献】
【０００８】
【特許文献１】特開2002-191410号公報
【発明の概要】
【発明が解決しようとする課題】
【０００９】
本発明は、従来の技術の問題点を解消するために、ピンバックルを備えた衣服用ベルトの連結留め具に工夫を加えて、回動部材を挟持姿勢から解放姿勢へ容易に回動させることが可能な連結留め具を提供することを目的とする
【課題を解決するための手段】
【００１０】
上記した通り、従来の連結留め具は、工具を使用せずに回動部材の姿勢を変更することが困難である。その理由は、長尺帯状体の脱落を防止するために、回動部材を係止爪が締め付ける力を強くせざるを得ないからである。
【００１１】
そこで本発明者は、連結留め具に係止爪を配設せず、長尺帯状体を挟持する力を十分に確保しながら回動部材を挟持姿勢に保つ技術について検討した。そして、回動部材に永久磁石を接着剤等で固着させ、回動部材を回動させて挟持姿勢にすることによって永久磁石が固定爪に磁着するように構成した本発明の連結留め具を完成した。
【００１２】
すなわち本発明は、使用者の腰部に衣服を保持するために使用する衣服用ベルトのピンバックルと長尺帯状体とを連結する連結留め具であって、
ピンバックルに装着される短尺帯状体の端部を固定して保持する固定爪と、
長尺帯状体の一端を挟持または解放するために回動可能に取り付けられる回動部材と、
その回動部材に固着され、かつ長尺帯状体を回動部材が挟持した姿勢で固定爪に磁着する永久磁石と、
回動部材の回動軸の反対側に位置する端部に配設される突起状把手と、
を有する連結留め具である。
【００１３】
本発明の連結留め具においては、長尺帯状体が天然皮革および／または人造皮革からなることが好ましい。
【発明の効果】
【００１４】
本発明によれば、ピンバックルを備えた衣服用ベルトの連結留め具を構成する回動部材を、挟持姿勢から解放姿勢へ容易に回動させることが可能であり、ひいては長尺帯状体の長さを容易に調節できるので、産業上格段の効果を奏する。
【図面の簡単な説明】
【００１５】
【図１】本考案の衣服用ベルトの連結留め具を解放した例を模式的に示す斜視図である。
【図２】従来の衣服用ベルトの連結留め具を解放した例を模式的に示す斜視図である。
【発明を実施するための形態】
【００１６】
図１は、本発明の衣服用ベルトの連結留め具１を解放して、長尺帯状体８を抜き出した例を模式的に示す斜視図である。本考案の連結留め具１では、係止爪を配設せず、回動部材３に永久磁石４が固着される。永久磁石４は、回動部材３を挟持姿勢にして固定爪２に対向する側の面（以下、固着面という）に固着される。その固着面に永久磁石４を固着する手段は特に限定せず、従来から知られている手段（たとえば接着剤等）を使用する。
【００１７】
本発明の連結留め具１においても、短尺帯状体９の端部を固定するために固定爪２を配設する。したがって、永久磁石４を固定爪２に磁着させることによって、回動部材３を挟持姿勢に保つことが可能である。
【００１８】
さらに本発明の連結止め具１では、回動部材３に突起状把手５が配設される。突起状把手５を配設する部位は回動軸の反対側に位置する端部である。
【００１９】
衣服用ベルトの使用者が回動部材３を挟持姿勢から解放姿勢に変える時は、突起状把手５を指で押し上げる。その結果、挟持姿勢の回動部材３が回動軸を中心にして回動し、解放姿勢（図１参照）となる。この時、回動部材３に固着された永久磁石４は、回動部材３とともに回動して、固定爪２から容易に解離する。
【００２０】
このようにして本発明の連結留め具１は、使用者が工具を使用せず指で、容易に回動部材３を挟持姿勢から解放姿勢に回動させることができる。
【００２１】
なお、回動部材３の固着面は、永久磁石４の固着性ならびに安定性を高めるために、板状の平坦な形状を呈することが好ましい。固着面が湾曲した連結留め具１では、永久磁石４の背面（すなわち固着面に当接する面）を、固着面に倣って湾曲させることによって永久磁石４の固着性ならびに安定性を改善できるが、永久磁石４の製造加工コストの上昇を招く。
【実施例】
【００２２】
牛革製の短尺帯状体の端部を本発明の連結留め具に固定爪で固定し、さらに牛革製の長尺帯状体の一端を回動部材で連結した。この時、回動部材は挟持姿勢である。
【００２３】
次に、突起状把手を指で押し上げて、回動部材を解放姿勢に変えた。引き続き回動部材を指で押し下げて、挟持姿勢に戻した。このような回動部材の往復運動（挟持姿勢→解放姿勢→挟持姿勢）を20回繰り返し行なった。その間、回動部材は円滑に回動した。また、20回の往復運動が終了した後、連結止め具を点検したところ、変形や歪みは認められなかった。接着剤で固着された永久磁石も、破損や剥離は発生していなかった。
【符号の説明】
【００２４】
１  連結留め具
２  固定爪
３  回動部材
４  永久磁石
５  突起状把手
６  係止爪
７  ピンバックル
８  長尺帯状体
９  短尺帯状体
【図１】
2019198563.tif 000003
【図２】
2019198563.tif 000004